(57)【要約】      （修正有）【課題】各種の傘面を支持するのに十分な強度を有し、傘骨構造の安定性と信頼性を保証する組立が容易な傘骨構造を提供する。【解決手段】一体化傘面は傘骨を傘面に対して引き伸ばすことにより立体形状の傘形を構成する。このため、傘骨に対する強度要求は高く、一般的な傘骨構造は、一体化傘面の要求を満足させることが難しい。このため、傘骨構造は、親骨１３，１４と受け骨を包括し、親骨は少なくとも二つが並行する。親骨の内側端に連接スリーブが設けられ、該連接スリーブ１１は上ろくろ１０に接合される。また並行する親骨は一緒に固定され、下ろくろに接合された受け骨に支持される。同時に各親骨が外向きに伸び出し、傘面下に接触して傘面を支持する。【選択図】図２
0003170642.tif 000002
【実用新案登録請求の範囲】
【請求項１】
複数の親骨と、それと対応する受け骨を包括し、組立を簡易化する傘骨構造において複数の親骨は少なくとも二つが並行となり、なおかつこの二つの親骨の内側端が連結スリーブに固定され、連結スリーブは上ろくろの対応する接続溝に接合し、また並行する二つの親骨が一つに固定され、複数の親骨が下ろくろに接合された受け骨に支持され、複数の親骨が外向きに伸び出し、傘面下に接触することを特徴とする傘骨構造。
【請求項２】
請求項１に記載の傘骨構造において、複数の親骨の中段位置に複数のヒンジ部が固定され、連結スリーブに固定され、また並行して伸び出す二つの親骨がヒンジ部により一つに固定されることを特徴とする傘骨構造。
【請求項３】
請求項２に記載の傘骨構造において、ヒンジ部に少なくとも二つの部分が設けられ、それぞれ親骨に固定され、各受け骨は各親骨と対応し、それぞれ各親骨を支持することを特徴とする、傘骨構造。
【請求項４】
請求項２に記載の傘骨構造において、ヒンジ部内にスペーサブロックが設けられたことを特徴とする傘骨構造。
【請求項５】
請求項２に記載の傘骨構造において、ヒンジ部に補助骨が設けられ外向きに伸び出し、この補助骨は二つの親骨の中間に位置し、二つの親骨の尾端と三交差形状を形成することを特徴とする傘骨構造。
【請求項６】
請求項１に記載の傘骨構造において、複数の親骨の外端は傘面の外辺縁と一つに接続され、傘面の辺縁に複数の露先或いは接合部品が固定され、各親骨の外端は対応する露先或いは接合部品内に接続されることを特徴とする傘骨構造。
【請求項７】
請求項１に記載の傘骨構造において、複数の親骨は二つが一組とされて並行し伸び出し各組の親骨の中段部分にヒンジ部が設置され、各受け骨は各組の親骨に対応して設置され、ヒンジ部に接合され親骨を支持し、各親骨の外端に、それと対応する露先或いは接合部品が設けられ、かつ並行する親骨の外端に並列に接するか一つに固定されることを特徴とする傘骨構造。
【請求項８】
請求項１に記載の傘骨構造において、複数の親骨は三つが一組とされ並行して伸び出し、この並行する親骨の内側端は連結スリーブにより一つに固定され、各連結スリーブは上ろくろに接合され、三つの並行する親骨の中段部分にヒンジ部が設置され、またヒンジ部の三つの並行する親骨の中段部分にはヒンジ部が設けられ、ヒンジ部は親骨を固定し外向きに一定角度で伸び出すことを特徴とする傘骨構造。
【考案の詳細な説明】
【技術分野】
【０００１】
本考案は傘骨構造にかかわり、傘の組立を簡易化する傘骨構造に関する。
【背景技術】
【０００２】
一般に伝統的な傘面は生地を裁断し縫い合わせる方法を採用している。すなわち、図１に示すように、傘用に加工された生地を裁断して三角形生地Ａを製作し、三角形生地Ａの一辺Ｂを内に折った後、縫い合わせて全体の傘面を形成する。しかし、このような構造の取り付けは比較的複雑となり、手作業での縫製が大量に必要で、傘面の加工効率を低下させている。
【０００３】
傘面の構造を簡易化するため、一体化傘面が発明された。特許文献１に記載された傘面のようなものがあり、それは生地を裁断して構成する。このような傘面は大幅に製造を簡易化する。しかしこのような一体化傘面は、傘骨で傘面を引き伸ばすことにより立体形の傘を構成する必要がある。したがって傘骨の強度要求がより高くなる。現在の傘骨構造では一体化傘面の要求を満足させることが難しい。
【先行技術文献】
【特許文献】
【０００４】
【特許文献１】中華人民共和国特許出願第２００７１００７４６５４．９号明細書
【考案の概要】
【考案が解決しようとする課題】
【０００５】
上述の一体化傘面は傘骨を傘面に対して引き伸ばすことにより立体形状の傘形を構成する。このため、傘骨に対する強度要求が高く、一般的な傘骨構造では、一体化傘面の要求を満足させることが難しい。
【０００６】
本考案の目的は、組立が容易な傘骨構造を提供することにある。この傘骨構造は各種の傘面を支持するのに十分な強度を有し、傘骨構造の安定性と信頼性を保証する。
【０００７】
本考案のもう一つの目的は、組立が容易な傘骨構造を提供することにより、傘骨構造と製造取り付け加工を簡易化でき、相互性を持ち多種類の傘面の傘の組立に適合する。
【課題を解決するための手段】
【０００８】
本考案の傘骨構造は、複数の親骨と複数の受け骨を包括する。その特徴は、親骨は少なくとも二つが並行し、且つ親骨の内側端に連結スリーブ（スリーブ）が設けられる。
スリーブは上ろくろに接合され、並行する親骨を一緒に固定する。
親骨は下ろくろに接合された受け骨に支持され、同時に各親骨が外向きに伸び出し、傘面下に接して傘面を支持する。
各親骨は外向きに伸び出し、傘面辺縁の露先或いは接合部品に接続されて傘面を支持する。
【０００９】
親骨の中段部分にヒンジ部が設けられ、スリーブに固定され並行して伸び出す親骨は、ヒンジ部で一緒に固定される。
【００１０】
また、ヒンジ部には少なくとも二つの親骨に固定される部分が設置される。
このとき、個々の受け骨は個々の親骨に対応し、それぞれ各親骨を支持する。
【００１１】
上述の親骨は、二つが一組として並行して伸び出し、各親骨の中段部分にヒンジ部が設置され、受け骨は親骨の数量に対応して設置される。ヒンジ部に接合されて親骨に対して支持を形成する。各親骨の外端には露先或いは接合部品が設けられ、且つ上述の並行する親骨の露先或いは接合部品は並列に接続するか、一つに固定される。
【００１２】
以上に記載のヒンジ部内にスペーサブロックが設置される。このスペーサブロックはヒンジ部の前部に位置し、二つの親骨を離し親骨を分けて傘面を支持する。
スペーサブロックの横断面は、棒形、錐形、或いは台形とし、二つの親骨を分離し親骨が傘面を支持できるようにする。
【００１３】
ヒンジ部が二つの親骨を並行させ一つに接続する時、ヒンジ部に補助骨が設けられ且つ補助骨が外向きに伸出してもよい。この補助骨は二つの親骨の中間に位置し、二つの親骨と三交差形状を形成する。
【００１４】
複数の親骨は三つが一組とされ且つ並行に伸び出し、三つの並行する親骨の内側端が連接スリーブにより一つに固定される。また、各連接スリーブが上ろくろに接合され、三つの並行する親骨の中段部分にヒンジ部が設置され、且つヒンジ部がこの三つの親骨を固定する。また各組の三つの親骨を外向きに一定角度で伸び出させて三交差形状を形成する。
【考案の効果】
【００１５】
親骨をとおして親骨の間が傘面を支持する。本考案は複数の傘骨の組合せを防止する。特に枝分かれの傘骨構造に対する影響により、傘骨が傘面を支持する際、受ける力が均一となる。
傘骨の支持が強固になり、信頼性が向上する。傘骨の構造が安定し、信頼できるものとなり、傘の使用寿命を延長させる。
【図面の簡単な説明】
【００１６】
【図１】従来技術の傘面縫製表示図である。
【図２】本考案の第１の実施方式の傘骨構造の表示図である。
【図３】図２に示される方式を傘面の構造に応用した表示図である。
【図４】図２に示される方式の傘面を展開した時の、傘骨の構造の表示図である。
【図５】本考案の第２の実施方式の傘骨構造の表示図である。
【図６】図５に示される方式を傘面の構造に応用した表示図である。
【図７】図５に示される方式の傘面を展開した時の、傘骨の構造の表示図である。
【図８】本考案の第３の実施方式の傘骨構造の表示図である。
【図９】図８に示される方式を傘面の構造に応用した表示図である。
【図１０】図８に示される方式の傘面を展開した時の、傘骨の構造の表示図である。
【図１１】本考案の第４の実施方式の傘骨構造の表示図である。
【図１２】図１１に示される方式を傘面の構造に応用した表示図である。
【図１３】図１１に示される方式の傘面を展開した時の、傘骨の構造の表示図である。
【考案を実施するための形態】
【００１７】
図２、図３を参照されたい。これは本考案を直接傘骨に応用した例である。この方式は、二つの親骨と一つの受け骨で構成され、さらに親骨が傘面支持の主要な力を提供し、傘面支持の構造を強化する。これにより傘骨構造の安定性と信頼性を保証する。
【００１８】
この方式中、傘骨は親骨と受け骨で構成され、そのうち親骨は符号１３、１４の二つが設けられ、受け骨は符号１９で示される。親骨１３、１４の中段部分にヒンジ部１２が設けられ、親骨１３、１４の内端にスリーブ１１が固定されている。スリーブ１１は上ろくろ１０に接合される。
また、親骨１３、１４は並行して伸び出し、ヒンジ部１２により固定される。これにより傘骨の構造が強化される。
【００１９】
親骨のヒンジ部１２の外側の部分は親骨延伸部１５、１６とし、親骨延伸部１５、１６は露先（図示なし）に挿入され傘面を支持する。
【００２０】
受け骨１９の一端はヒンジ部１２に接合され、その別端は下ろくろ１８に接合される。こうして傘面の支持構造が形成される。
【００２１】
傘面展開時には、図４に示される形状が形成される。複数のスリーブ１１は上ろくろ１０に接合され、各二つの親骨１３、１４が一組となって並列して対応するスリーブ１１中に挿入並びに固定される。また、ヒンジ部１２をとおり親骨延伸部１５、１６が伸び出し、且つ親骨延伸部１５、１６は円弧形をなして外向きに伸び出る。それは二つの異なる位置で傘面を支持する。
【００２２】
図５から図７に示すのは、本考案の第２方式の構造表示図である。図示されるように、親骨は符号２３、２４の二つがあり、親骨２３、２４はスリーブ２１中に固定され並行して伸び出し、親骨２３、２４の中段部分にヒンジ部２２が設置される。ヒンジ部２２を通った後、親骨は外向きに伸び出す親骨延伸部２５、２６を形成し、且つ親骨延伸部２５、２６はやや外向きに伸び出て傘骨を支持する。
【００２３】
補助骨２５１がヒンジ部２２中に設置され、二つの親骨延伸部２５、２６の中間より外向きに伸び出て傘面の支持を補助する。
【００２４】
受け骨２９の配置方式は第１種の実施方式と同じであり、受け骨２９がヒンジ部２２に接合され、受け骨２９の別端は下ろくろ２８に接合される。
【００２５】
傘面が展開される時、図７に示される形状が形成される。複数の連接スリーブ２１は四周より上ろくろ２０に接合され、各二つの親骨２３、２４が並列されスリーブ２１に挿入並びに固定される。ヒンジ部２２をとおり親骨延伸部２５、２６が延伸され、親骨延伸部２５、２６は円弧形状を形成して外向きに伸び出る。補助骨２５１は親骨延伸部２５、２６の中間より直線状に外向きに伸び出し、親骨延伸部２５、２６と補助骨２５１は三つの異なる位置より傘面を支持する。
【００２６】
上述の二つの方式中、ヒンジ部を通して二つの並行する親骨が接続される。さらに、ヒンジ部は各親骨に独立して設置可能である。図８は本考案の第３の実施方式であり、二つの親骨３３、３４は並行に伸び出し、二つの親骨３３、３４の内端はスリーブ３１内に固定される。親骨の中段部分にヒンジ部が設けられ、親骨３４にはヒンジ部３２１が設置される。二つの親骨３３、３４はヒンジ部３２、３２１をとおり伸び出し親骨延伸部３５、３６が形成される。
【００２７】
図２、図５も同様に、二つの親骨３３、３４はスリーブ３１中に固定され、スリーブ３１はさらに上ろくろ３０に接合される。
【００２８】
図９、図１０に示されるように、受け骨３９、３９１は二つに分けられ、それぞれヒンジ部３２、３２１に接合され、二つの受け骨３９、３９１の別端は下ろくろ３８に接合される。
【００２９】
連接スリーブ３１は四周より上ろくろ３０に接合され、二つの親骨３３、３４は一組とされ、スリーブ３１中に挿入並びに固定される。また、それぞれヒンジ部３２、３２１をとおり、親骨延伸部３５、３６が延伸され、親骨延伸部３５、３６は円弧形状を形成して外向きに伸び出て傘面を支持する。受け骨３９、３９１はそれぞれヒンジ部３２、３２１を支持し、傘骨に強固な全体構造を形成させる。
【００３０】
図１１には本考案の第４の方式を示す。この方式中、親骨の構成は、図８に示されるものと同じである。相違点は二つの親骨が円弧形をなして外向きに湾曲して伸び出し、二つの親骨の先端は一つに合される点である。
【００３１】
親骨４３、４４は並行して伸び出し、各親骨はいずれも中段部分にヒンジ部４２１が固定される。親骨４３はヒンジ部４２をとおり親骨延伸部４５、４６が伸び出し、その最も外端に接合部４５１、４６１が形成される。接合部４５１、４６１は一つに固定され、合わせて露先中に挿入し（或いは一つに接合された二つの露先中にそれぞれ挿入固定し）傘面を支持する。
【００３２】
二つの親骨４３、４４はスリーブ４１中に固定され、スリーブ４１は上ろくろ４０に連接される。傘を開く時、二つの親骨４３、４４は先に円弧形をなして外向きに伸び出しヒンジ部４２、４２１を通った後、さらに内向きに伸び出る。またそれぞれ接合部４５１、４６１を形成し一つに固定される。
【００３３】
図１２、１３に示すように、受け骨は符号４９、４９１の二つが設けられる。それぞれ二つのヒンジ部４２、４２１に接合され、二つの受け骨４９、４９１の別端は下ろくろ４８に接合される。
【００３４】
複数のスリーブ４１は四周より上ろくろ４０に接合され、各親骨４３、４４は並列になり対応するスリーブ４１中に挿入固定される。また、それぞれヒンジ部４２、４２１をとおり親骨延伸部４５、４６が伸び出し、二つの親骨延伸部４５、４６は円弧形状を形成して内向きに湾曲伸長し接合部４５１、４６１を通して一つに合併される。
【００３５】
複数片が縫い合わされてなる傘面に対して、上述の構造は信頼できる支持を実現する。一体化傘面に対しては、上述の構造は全体の傘骨構造を強化させ、強固に傘面を支持する。
【００３６】
以上は本考案の実施例に過ぎず、本考案を制限するものではない。本考案の精神と原則内でなし得るいかなる変更、交換及び改善もすべて本考案の保護範囲に属する。
【符号の説明】
【００３７】
１０、２０、３０、４０  上ろくろ
１１、２１、３１、４１  連結スリーブ
１２、２２、３２、３２１、４２、４２１  ヒンジ部
１３、１４、２３、２４、３３、３４、４３、４４  親骨
１５、１６、２５、２６、３５、３６、４５、４６  親骨延伸部
２５１  補助骨
１８、２８、３８、４８  下ろくろ
１９、２９、３９、３９１、４９、４９１  受け骨
４５１、４６１  接合部
Ａ  三角形生地
Ｂ  辺
【図１】
0003170642.tif 000003
【図２】
0003170642.tif 000004
【図３】
0003170642.tif 000005
【図４】
0003170642.tif 000006
【図５】
0003170642.tif 000007
【図６】
0003170642.tif 000008
【図７】
0003170642.tif 000009
【図８】
0003170642.tif 000010
【図９】
0003170642.tif 000011
【図１０】
0003170642.tif 000012
【図１１】
0003170642.tif 000013
【図１２】
0003170642.tif 000014
【図１３】
0003170642.tif 000015